(57)【要約】【課題】規格化された配線器具を３個まで取付けられる取付枠に取付け可能な配線器具１個分の大きさの人感スイッチであって、人感センサの上下方向の検知範囲を十分に確保できるようにし、モード切替スイッチの切替操作をスムーズに行えるようにする。【解決手段】少なくとも２つの取付面９、１０を有し、一つの取付面９に人感センサ４が取付けられ、他の取付面１０にモード切替スイッチ６が取付けられた支持体３を、人感センサ４が外方を向く位置とモード切替スイッチ６が外方を向く位置とに回動自在に筐体２に取付ける。これにより、人感スイッチが規格化された配線器具１個分の大きさに形成された小型のものであっても、人感センサ４の上下方向の幅寸法を大きくして人感センサ４の上下方向の検知範囲を十分に確保でき、また、モード切替スイッチ６を大型化してモード切替スイッチ６の切替操作をスムーズに行うことができる。【選択図】    図３
2004185816.tif 000002
【特許請求の範囲】
【請求項１】
規格化された配線器具を３個まで取付けられる取付枠に取付け可能で、前記配線器具１個分の大きさに形成され、少なくとも一面に開口が形成された筐体と；
少なくとも２つの取付面を有し、一つの前記取付面が前記開口から外方を向く位置と他の前記取付面が前記開口から外方を向く位置とに回動可能に前記筐体に取付けられた支持体と；
一つの前記取付面に取付けられ、人体から放射される赤外線を検知する人感センサと；
他の前記取付面に取付けられ、前記人感センサの検知結果に応じて負荷を自動的にオン・オフさせるオートモードと前記負荷を連続してオンにするオンモードと前記負荷を連続してオフにするオフモードとのいずれかのモードに切替可能であるモード切替スイッチと；
前記筐体内に収納され、前記人感センサからの出力信号と前記モード切替スイッチからの出力信号とに応じて前記負荷をオン・オフ制御する負荷制御部と；
を具備する人感スイッチ。
【請求項２】
規格化された配線器具を３個まで取付けられる取付枠に取付け可能で、前記配線器具１個分の大きさに形成された筐体と；
前記筐体に取付けられ、人体から放射された赤外線を検知する人感センサと；
前記筐体に取付けられ、前記人感センサの検知結果に応じて負荷を自動的にオン・オフさせるオートモードと前記負荷を連続してオンにするオンモードと前記負荷を連続してオフにするオフモードとのいずれかのモードに切替可能であるモード切替スイッチと；
前記人感センサを覆い、スライド操作可能に前記筐体に取付けられ、スライド操作されることにより前記モード切替スイッチをオートモードとオンモードとオフモードとのいずれかに切替可能である集光レンズと；
前記筐体内に収納され、前記人感センサからの出力信号と前記モード切替スイッチからの出力信号とに応じて前記負荷をオン・オフ制御する負荷制御部と；
を具備する人感スイッチ。
【請求項３】
規格化された配線器具を３個まで取付けられる取付枠に取付け可能で、前記配線器具１個分の大きさに形成された筐体と；
前記筐体に取付けられ、人体から放射された赤外線を検知する人感センサと；
前記人感センサの水平検知幅方向の両側に位置して前記筐体に取付けられ、前記モード切替スイッチをオートモードとオンモードとオフモードとのいずれかに切替可能である２つのオルタネイト動作形のモード切替スイッチと；
前記筐体内に収納され、前記人感センサからの出力信号と前記モード切替スイッチからの出力信号とに応じて前記負荷をオン・オフ制御する負荷制御部と；
を具備する人感スイッチ。
【請求項４】
規格化された配線器具を３個まで取付けられる取付枠の上段又は下段の取付位置に取付け可能で、前記配線器具２個分の空きスペースを確保できる大きさに形成された筐体と；
前記筐体に取付けられ、人体から放射された赤外線を検知する人感センサと；
前記筐体に取付けられ、前記人感センサの検知結果に応じて負荷を自動的にオン・オフさせるオートモードと前記負荷を連続してオンにするオンモードと前記負荷を連続してオフにするオフモードとのいずれかのモードに切替可能であり、前記筐体の前記取付枠への取付状態において前記取付枠に形成された切欠部から覗く位置に配置されるモード切替スイッチと；
前記筐体内に収納され、前記人感センサからの出力信号と前記モード切替スイッチからの出力信号とに応じて前記負荷をオン・オフ制御する負荷制御部と；
を具備する人感スイッチ。
【発明の詳細な説明】
【０００１】
【発明の属する技術分野】本発明は、人感センサの検知結果に応じて照明器具等の負荷を自動的にオン・オフさせるオートモードと、負荷を連続してオンにするオンモードと、負荷を連続してオフにするオフモードとのいずれかのモードに切替えて使用される人感スイッチに関する。
【０００２】
【従来の技術】近年、照明器具等の負荷のスイッチとして、手動によるオン・オフの切替と、人感センサの検知結果に応じたオン・オフの自動切替とが可能である人感スイッチが普及している。
【０００３】
このような人感スイッチは、規格化された配線器具を３個まで取付け可能であって壁面などに埋め込み式に設置される取付枠に取付けられる。しかし、人感スイッチは、その構成部品として人感センサとモード切替スイッチとが必須であるために小型化を図ることが難しく、配線器具３個分の大きさ、又は、配線器具２個分の大きさに形成されている。なお、小型化を図り、配線器具１個分の大きさに形成した人感スイッチの提案もなされている（例えば、特許文献１、２参照）。
【０００４】
【特許文献１】
特開平１１−６７０２８号公報（図５）
【特許文献２】
特開２００１−１４４５９８公報
【０００５】
【発明が解決しようとする課題】しかし、上述した特許文献１、２では、人感センサとモード切替スイッチとが上下方向に並べて配置されている。このため、人感センサとモード切替スイッチとを設置するために確保できる上下方向の幅寸法が小さくなる。
【０００６】
そして、人感センサを設置する上下方向の幅寸法が小さくなることにより、人感センサの上下方向の幅寸法も小さくなり、人感センサの上下方向の検知範囲が狭くなる。
【０００７】
また、モード切替スイッチを設置する上下方向の幅寸法が小さくなることにより、モード切替スイッチの上下方向のサイズも小さくなり、モード切替スイッチの切替操作をスムーズに行えない。
【０００８】
本発明の目的は、規格化された配線器具を３個まで取付けられる取付枠に取付け可能な配線器具１個分の大きさの人感スイッチであって、人感センサの上下方向の検知範囲を十分に確保でき、しかも、モード切替スイッチの切替操作をスムーズに行える人感スイッチを提供することである。
【０００９】
【課題を解決するための手段】請求項１記載の発明の人感スイッチは、規格化された配線器具を３個まで取付けられる取付枠に取付け可能で、前記配線器具１個分の大きさに形成され、少なくとも一面に開口が形成された筐体と；少なくとも２つの取付面を有し、一つの前記取付面が前記開口から外方を向く位置と他の前記取付面が前記開口から外方を向く位置とに回動可能に前記筐体に取付けられた支持体と；一つの前記取付面に取付けられ、人体から放射される赤外線を検知する人感センサと；他の前記取付面に取付けられ、前記人感センサの検知結果に応じて負荷を自動的にオン・オフさせるオートモードと前記負荷を連続してオンにするオンモードと前記負荷を連続してオフにするオフモードとのいずれかのモードに切替可能であるモード切替スイッチと；前記筐体内に収納され、前記人感センサからの出力信号と前記モード切替スイッチからの出力信号とに応じて前記負荷をオン・オフ制御する負荷制御部と；を具備する。
【００１０】
ここで、この人感スイッチの使用形態として、人感センサを機能させる場合には、モード切替スイッチをオートモードに切替え、人感センサが取付けられた取付面が開口から外方を向く位置へ支持体を回動させておく。これにより、人感センサが人体から放射される赤外線を検知した場合に、負荷がオンされる。
【００１１】
一方、モード切替スイッチをオンモードに切替えておくことにより負荷は連続してオンになり、モード切替スイッチをオフモードに切替えておくことにより負荷は連続してオフになる。
【００１２】
モード切替スイッチの切替操作は、モード切替スイッチが取付けられている取付面が開口から外方を向く位置へ支持体を回動させて行う。
【００１３】
したがって、人感センサが取付けられた取付面にはモード切替スイッチは取付けられておらず、人感センサを取付面の全体を用いて取付けることができる。このため、この人感スイッチが規格化された配線器具１個分の大きさに形成された小型のものであっても、人感センサの上下方向の幅寸法を大きくすることができ、人感センサの上下方向の検知範囲を十分に確保できる。
【００１４】
また、モード切替スイッチが取付けられた取付面には人感センサは取付けられておらず、モード切替スイッチを取付面の全体を用いて取付けることができる。このため、この人感スイッチが規格化された配線器具１個分の大きさに形成された小型のものであっても、モード切替スイッチを大型化することができ、モード切替スイッチの切替操作をスムーズに行える。
【００１５】
請求項２記載の発明の人感スイッチは、規格化された配線器具を３個まで取付けられる取付枠に取付け可能で、前記配線器具１個分の大きさに形成された筐体と；前記筐体に取付けられ、人体から放射された赤外線を検知する人感センサと；前記筐体に取付けられ、前記人感センサの検知結果に応じて負荷を自動的にオン・オフさせるオートモードと前記負荷を連続してオンにするオンモードと前記負荷を連続してオフにするオフモードとのいずれかのモードに切替可能であるモード切替スイッチと；前記人感センサを覆い、スライド操作可能に前記筐体に取付けられ、スライド操作されることにより前記モード切替スイッチをオートモードとオンモードとオフモードとのいずれかに切替可能である集光レンズと；前記筐体内に収納され、前記人感センサからの出力信号と前記モード切替スイッチからの出力信号とに応じて前記負荷をオン・オフ制御する負荷制御部と；を具備する。
【００１６】
ここで、この人感スイッチの使用形態としては、集光レンズをスライド操作してモード切替スイッチをオートモードに切替えることにより、人感センサを機能させることができ、人感センサが人体から放射される赤外線を検知した場合に、負荷がオンされる。
【００１７】
一方、集光レンズをスライド操作してモード切替スイッチをオンモードに切替えることにより負荷は連続してオンになり、集光レンズをスライド操作してモード切替スイッチをオフモードに切替えることにより負荷は連続してオフになる。
【００１８】
したがって、モード切替スイッチの切替操作を集光レンズをスライド操作することにより行えるので、モード切替スイッチに指で直接触れる必要がなくなり、指による操作を良好に行える大きさのモード切替スイッチを設けることが不要となる。このため、この人感スイッチが規格化された配線器具１個分の大きさに形成された小型のものであっても、この人感スイッチにおいては人感センサの上下方向の幅寸法を大きくすることができ、人感センサの上下方向の検知範囲を十分に確保できる。
【００１９】
また、直接指で触れる位置にモード切替えスイッチを設ける必要がないため、人感センサを覆う集光レンズも十分な大きさを確保できる。このため、この人感スイッチが規格化された配線器具１個分の大きさに形成されたものであっても、この集光レンズをスライド操作することにより行うモード切替スイッチの切替操作をスムーズに行える。
【００２０】
請求項３記載の発明の人感スイッチは、規格化された配線器具を３個まで取付けられる取付枠に取付け可能で、前記配線器具１個分の大きさに形成された筐体と；前記筐体に取付けられ、人体から放射された赤外線を検知する人感センサと；前記人感センサの水平検知幅方向の両側に位置して前記筐体に取付けられ、前記モード切替スイッチをオートモードとオンモードとオフモードとのいずれかに切替可能である２つのオルタネイト動作形のモード切替スイッチと；前記筐体内に収納され、前記人感センサからの出力信号と前記モード切替スイッチからの出力信号とに応じて前記負荷をオン・オフ制御する負荷制御部と；を具備する。
【００２１】
ここで、この人感スイッチの使用形態としては、２つのオルタネイト動作形のモード切替スイッチを切替操作することにより、モード切替スイッチのモードをオートモードとオンモードとオフモードとのいずれかに切替えることができる。
【００２２】
したがって、人感スイッチのモード切替を行う２つのオルタネイト動作形のモード切替スイッチは人感センサの水平検知幅方向の両側に位置しているので、この人感スイッチが規格化された配線器具１個分の大きさに形成された小型のものであっても、人感センサの上下方向の幅寸法をモード切替スイッチの設置スペースの制約を受けることなく大きくすることができ、人感センサの上下方向の検知範囲を十分に確保できる。
【００２３】
また、モード切替スイッチは、人感センサの水平検知幅方向の両側に位置するために指で操作するのに必要な程度の大きさを確保でき、しかも、このモード切替スイッチはオルタネイト動作形であって指による押圧操作が容易な構造であるので、この人感スイッチが規格化された配線器具１個分の大きさに形成された小型のものであってもモード切替スイッチを大型化することができ、モード切替スイッチの切替操作をスムーズに行える。
【００２４】
請求項４記載の発明の人感スイッチは、規格化された配線器具を３個まで取付けられる取付枠の上段又は下段の取付位置に取付け可能で、前記配線器具２個分の空きスペースを確保できる大きさに形成された筐体と；前記筐体に取付けられ、人体から放射された赤外線を検知する人感センサと；前記筐体に取付けられ、前記人感センサの検知結果に応じて負荷を自動的にオン・オフさせるオートモードと前記負荷を連続してオンにするオンモードと前記負荷を連続してオフにするオフモードとのいずれかのモードに切替可能であり、前記筐体の前記取付枠への取付状態において前記取付枠に形成された切欠部から覗く位置に配置されるモード切替スイッチと；前記筐体内に収納され、前記人感センサからの出力信号と前記モード切替スイッチからの出力信号とに応じて前記負荷をオン・オフ制御する負荷制御部と；を具備する。
【００２５】
ここで、この人感スイッチを取付枠の上段又は下段に取付けることにより、モード切替スイッチは、取付枠に形成された切欠部から覗く位置に配置される。そして、切欠部から覗いているモード切替スイッチを操作することにより人感スイッチのモード切替を行える。
【００２６】
したがって、モード切替スイッチは取付枠に形成された切欠部から覗く位置に配置されるので、この人感スイッチが取付枠において配線器具２個分の空きスペースを確保できる大きさに形成された小型のものであっても、人感センサの上下方向の幅寸法をモード切替スイッチの設置スペースの制約を受けることなく大きくすることができ、人感センサの上下方向の検知範囲を十分に確保できる。
【００２７】
また、モード切替スイッチは取付枠の切欠部から覗く位置に配置されるため、この人感スイッチが取付枠において配線器具２個分の空きスペースを確保できる大きさに形成された小型のものであっても、このモード切替スイッチを人感センサの設置スペースの制約を受けることなく十分な大きさとすることができ、モード切替スイッチの切替操作をスムーズに行える。
【００２８】
【発明の実施の形態】本発明の第１の実施の形態を図１ないし図６に基づいて説明する。
【００２９】
図１及び図２は人感スイッチ１を示す斜視図、図３はその平面図である。この人感スイッチ１は、筐体２、支持体３、人感センサ４、集光レンズ５、モード切替スイッチ６等により構成されている。
【００３０】
筐体２は、規格化された配線器具、例えば、スイッチやコンセント等を３個まで取付けられる取付枠７（図４、５参照）に取付可能で、それらの配線器具１個分の大きさに形成されている。
【００３１】
筐体２の正面側には開口８が形成され、この開口８部分に位置して支持体３が配置されている。支持体３は板状の部材で、その両面に取付面９、１０が形成され、上下方向の軸心を有する支軸１１により一方の取付面９が開口８から外方を向く位置と他方の取付面１０が開口８から外方を向く位置とに回動自在に筐体２に取付けられている。
【００３２】
支持体３の一方の取付面９には、人体から放射される赤外線を検知する人感センサ４と、この人感センサ４を囲む半円筒状の集光レンズ５とが取付けられている。
【００３３】
支持体３の他方の取付面１０には、モード切替スイッチ６が取付けられている。このモード切替スイッチ６は、人感スイッチ１のモードを、人感センサ４の検知結果に応じて照明器具等の負荷を自動的にオン・オフさせるオートモードと、負荷を連続してオンにするオンモードと、負荷を連続してオフにするオフモードとのいずれかのモードに切替可能なスイッチである。
【００３４】
さらに、筐体２内には、人感センサ４からの出力信号とモード切替スイッチ６からの出力信号とに応じて負荷をオン・オフ制御する負荷制御部（図示せず）が設けられている。
【００３５】
図４及び図５は、規格化された配線器具を３個まで取付けられる取付枠７に対する人感スイッチ１の取付構造を示すものである。人感スイッチ１が取付けられた取付枠７は住宅の壁面内に埋め込んで取付けられるもので、その正面には化粧プレート１２が取付けられている。また、取付枠７に人感スイッチ１を取付けた場合、取付枠７には配線器具２個分の空きスペースが生じるので、この空きスペース部分には２枚の目隠し板１３が取付けられている。なお、必要に応じて、この目隠し板１３が取付けられている箇所にスイッチやコンセント等の規格化された配線器具を取付けてもよい。
【００３６】
このような構成において、この人感スイッチ１の使用形態として、人感センサ４の検知結果に応じて負荷を自動的にオン・オフさせる場合には、モード切替スイッチ６を操作してオートモードに切替え、図１及び図３に示すように、人感センサ４が取付けられた取付面９を開口８から外方を向く位置へ支持体３を回動させておく。
【００３７】
これにより、この人感スイッチ１の前方を人が通過した場合には人体から放射される赤外線を人感センサ４が検知し、その検知結果に応じて負荷がオンされる。なお、負荷はオンされた後の所定時間経過後にオフになる。
【００３８】
一方、モード切替スイッチ６を操作して人感スイッチ１をオンモードに切替えておけば負荷は連続してオンになり、モード切替スイッチ６を操作して人感スイッチ１をオフモードに切替えておけば負荷は連続してオフになる。
【００３９】
モード切替スイッチ６の切替操作は、モード切替スイッチ６が取付けられている取付面１０が開口８から外方を向く位置へ支持体３を回動させて行う。
【００４０】
本実施の形態の人感スイッチ１においては、人感センサ４が取付けられた取付面９にはモード切替スイッチ６は取付けられておらず、人感センサ４を取付面９の全体を用いて取付けることができる。このため、この人感スイッチ１が規格化された配線器具１個分の大きさに形成された小型のものであっても、人感センサ４の上下方向の幅寸法を大きくすることができ、人感センサ４の上下方向の検知範囲を十分に確保できる。
【００４１】
また、モード切替スイッチ６が取付けられた取付面１０には人感センサ４は取付けられておらず、モード切替スイッチ６を取付面１０の全体を用いて取付けることができ、モード切替スイッチ６を大型化することができる。このため、この人感スイッチ１が規格化された配線器具１個分の大きさに形成された小型のものであっても、モード切替スイッチ６の切替操作をスムーズに行える。
【００４２】
つぎに、本発明の第２の実施の形態を図６ないし１０に基づいて説明する。なお、第１の実施の形態において説明した部分と同じ部分は同じ符号で示し、説明も省略する（以下の実施の形態でも同じ）。
【００４３】
図６は人感スイッチを示す斜視図、図７ないし図９はその平面図である。この人感スイッチ２１は、筐体２２、人感センサ４、集光レンズ２３、モード切替スイッチ２４等により構成されている。モード切替スイッチ２４の機能は第１の実施の形態のモード切替スイッチ６と同じであり、人感スイッチ２１のモードを、人感センサ４の検知結果に応じて照明器具等の負荷を自動的にオン・オフさせるオートモードと、負荷を連続してオンにするオンモードと、負荷を連続してオフにするオフモードとのいずれかのモードに切替可能なスイッチである。
【００４４】
筐体２２は、規格化された配線器具、例えば、スイッチやコンセント等を３個まで取付けられる取付枠７（図１０参照）に取付可能で、それらの配線器具１個分の大きさに形成されている。
【００４５】
筐体２２の正面側には人感センサ４とモード切替スイッチ２４とが取付けられ、筐体２２内には、人感センサ４からの出力信号とモード切替スイッチ２４からの出力信号とに応じて負荷をオン・オフ制御する負荷制御部が設けられている。
【００４６】
集光レンズ２３はレンズ保持枠２５に保持されて人感センサ４を覆う位置に配置され、かつ、レンズ保持枠２５と共にスライド操作可能に筐体２２に取付けられている。レンズ保持枠２５はモード切替スイッチ２４のスライド摘み２６に係合され、集光レンズ２３をレンズ保持枠２５と共にスライドさせることによりスライド摘み２６がスライドされ、モード切替スイッチ２４の切替えが行われるように構成されている。
【００４７】
このような構成において、モード切替スイッチ２４の切替操作は、集光レンズ２３をレンズ保持枠２５と共にスライドさせることにより行われる。
【００４８】
集光レンズ２３をレンズ保持枠２５と共に図７に示すようにセンター位置へスライドさせることにより、切替スイッチ２４が切替えられて人感スイッチ２１がオートモードとなり、人感センサ４の検知結果に応じて負荷がオン・オフされる。
【００４９】
集光レンズ２３をレンズ保持枠２５と共に図８に示すように一端側へスライドさせることにより、モード切替スイッチ２４が切替えられて人感スイッチ２１がオンモードとなり、負荷は連続してオンになる。また、集光レンズ２３を図９に示すように他端側へスライドさせることにより、モード切替スイッチ２４が切替えられて人感スイッチ２１がオフモードとなり、負荷は連続してオフになる。
【００５０】
ここで、本実施の形態では、モード切替スイッチ２４の切替操作を集光レンズ２３をレンズ保持枠２５と共にスライド操作することにより行えるので、モード切替スイッチ２４に指で直接触れる必要がなくなり、指による操作を良好に行える大きさのモード切替スイッチ２４を設けることが不要となる。このため、この人感スイッチ２１が規格化された配線器具１個分の大きさに形成された小型のものであっても、この人感スイッチ２１においては人感センサ４の上下方向の幅寸法を大きくすることができ、人感センサ４の上下方向の検知範囲を十分に確保できる。
【００５１】
また、直接指で触れる位置にモード切替えスイッチ２４を設ける必要がないため、人感センサ４を覆う集光レンズ２３も十分な大きさを確保できる。このため、この人感スイッチ２１が規格化された配線器具１個分の大きさに形成された小型のものであっても、この集光レンズ２３をスライド操作することにより行うモード切替スイッチ２４の切替操作をスムーズに行える。
【００５２】
なお、本実施の形態では、集光レンズ２３の切替操作により、オートモードとオンモードとオフモードとの３段階にモード切替を行う場合を例に挙げて説明したが、図１１に示すように、オートモード状態を維持しつつ集光レンズ２３のスライド位置を３段階に切替えるようにしてもよい。図１１（ｂ）は集光レンズ２３の中心上に人感センサ４が位置しており、人感センサ４の水平検知幅方向は左右方向で均等である。図１１（ａ）、図１１（ｃ）は集光レンズ２３の中心から偏心した位置に人感センサ４が位置しており、図１１（ａ）では人感センサ４の水平検知幅方向が右方で広くなり、図１１（ｃ）では人感センサ４の水平検知幅方向が左方で広くなっている。このような構成とすることにより、人感センサ４の水平方向の検知エリアを調整する場合に有効である。
【００５３】
なお、集光レンズ２３を上下方向にスライドできる構成とすれば、人感センサ４の上下方向の検知エリアを調整することができる。
【００５４】
つぎに、本発明の第３の実施の形態を図１２ないし図１４に基づいて説明する。図１２及び図１３は人感スイッチを示す斜視図である。
【００５５】
この人感スイッチ３１は、筐体３２、人感センサ４、集光レンズ５、２つのモード切替スイッチ３３ａ、３３ｂ等により構成されている。
【００５６】
筐体３２は、規格化された配線器具、例えば、スイッチやコンセント等を３個まで取付けられる取付枠７（図１４参照）に取付可能で、それらの配線器具１個分の大きさに形成されている。
【００５７】
人感センサ４は筐体３２の正面側に取付けられ、集光レンズ５により覆われている。筐体３２内には、人感センサ４からの出力信号とモード切替スイッチ３３ａ、３３ｂからの出力信号とに応じて負荷をオン・オフ制御する負荷制御部が設けられている。
【００５８】
モード切替スイッチ３３ａ、３３ｂは、オルタネイト動作形のスイッチで、人感センサ４の水平検知幅方向の両側に位置して筐体３２の正面側に取付けられている。これらのモード切替スイッチ３３ａ、３３ｂのオン・オフの操作の組合せによって、人感スイッチ３１のモードを、人感センサ４の検知結果に応じて照明器具等の負荷を自動的にオン・オフさせるオートモードと、負荷を連続してオンにするオンモードと、負荷を連続してオフにするオフモードとのいずれかのモードに切替えることができる。
【００５９】
このような構成において、モード切替スイッチ３３ａ、３３ｂのオン・オフの組合せにより人感スイッチ３１のモードをオートモード、オンモード、オフモードのいずれかに切替えることができ、その組合せとモードとの関係を表１に示す。
【００６０】
【表１】
2004185816.tif 000003
【００６１】
図１２では２つのモード切替スイッチ３３ａ、３３ｂがオフの状態であり、人感スイッチ３１のモードはオフモードである。図１３では一方のモード切替スイッチ３３ａがオフで他方のモード切替スイッチ３３ｂがオンであり、人感スイッチ３１のモードはオートモードである。
【００６２】
ここで、本実施の形態では、モード切替を行う２つのオルタネイト動作形のモード切替スイッチ３３ａ、３３ｂは人感センサ４の水平検知幅方向の両側に位置しているので、この人感スイッチ３１においては人感センサ４の上下方向の幅寸法をモード切替スイッチ３３ａ、３３ｂの制約を受けることなく大きくすることができる。このため、この人感スイッチ３１が規格化された配線器具１個分の大きさに形成された小型のものであっても、人感センサ４の上下方向の検知範囲を十分に確保できる。
【００６３】
また、モード切替スイッチ３３ａ、３３ｂは、人感センサ４の水平検知幅方向の両側に位置するために指で操作するのに必要な程度の大きさを確保できることと、オルタネイト動作形であって指による押圧操作が容易な構造であるので、この人感スイッチ３１が規格化された配線器具１個分の大きさに形成された小型のものであっても、モード切替スイッチ３３ａ、３３ｂの切替操作をスムーズに行える。
【００６４】
つぎに、本発明の第４の実施の形態を図１５及び図１６に基づいて説明する。
【００６５】
本実施の形態の人感スイッチ４１は、筐体４２、人感センサ４、集光レンズ５、モード切替スイッチ４３等により構成されている。
【００６６】
筐体４２は、規格化された配線器具、例えば、スイッチやコンセントを３個まで取付けられる取付枠７ａの下段の取付位置に取付け可能で、配線器具２個分の空きスペースを確保できる大きさに形成されている。
【００６７】
人感センサ４は筐体４２の正面側に取付けられ、集光レンズ５により覆われている。筐体４２内には、人感センサ４からの出力信号とモード切替スイッチ４３からの出力信号とに応じて負荷をオン・オフ制御する負荷制御部が設けられている。
【００６８】
モード切替スイッチ４３は、人感スイッチ４１のモードを、人感センサ４の検知結果に応じて照明器具等の負荷を自動的にオン・オフさせるオートモードと、負荷を連続してオンにするオンモードと、負荷を連続してオフにするオフモードとのいずれかのモードに切替えるスイッチである。このモード切替スイッチ４３は、人感スイッチ４１を取付枠７ａに取付けた状態において、取付枠７ａの下部に形成された切欠部４４、及び、取付枠７ａに取付けられた化粧プレート１２ａの下部に形成された切欠部４５から覗く位置に配置されている。
【００６９】
このような構成において、図１６に示すように人感スイッチ４１を取付枠７ａに取付けて化粧プレート１２ａで覆った状態においては、モード切替スイッチ４３は切欠部４４、４５から覗く位置に位置しているので、その切欠部４４、４５から覗いている人感スイッチ４１を切替操作することにより、人感スイッチ４１のモード切替を行える。
【００７０】
ここで、モード切替スイッチ４３は取付枠７ａに形成された切欠部４４から覗く位置に配置されるので、この人感スイッチ４１が取付枠７ａにおいて配線器具２個分の空きスペースを確保できる大きさに形成された小型のものであっても、この人感スイッチ４１においては人感センサ４の上下方向の幅寸法を大きくすることができ、人感センサ４の上下方向の検知範囲を十分に確保できる。
【００７１】
また、モード切替スイッチ４３は取付枠７ａの切欠部４４から覗く位置に配置されるため、このモード切替スイッチ４２を人感センサ４の取付スペースの制約を受けることなく十分な大きさとすることが可能となり、この人感スイッチ４１が取付枠７ａにおいて配線器具２個分の空きスペースを確保できる大きさに形成された小型のものであっても、モード切替スイッチ４３の切替操作をスムーズに行える。
【００７２】
なお、本実施の形態では、人感スイッチ４１を取付枠７ａの下段に取付ける場合を例に挙げて説明したが、取付枠７ａの上段に取付けてもよい。その場合は、その人感スイッチ４１に設けられているモード切替スイッチ４３が覗く切欠部４４、４５を、それぞれ取付枠７ａと化粧プレート１２ａとの上部に形成する。
【００７３】
【発明の効果】請求項１記載の発明の人感スイッチによれば、支持体の一つの取付面に人感センサが取付けられ、他の取付面にモード切替スイッチが取付けられ、人感センサが外方を向く位置とモード切替スイッチが外方を向く位置とに支持体が回動自在であるので、人感スイッチが規格化された配線器具１個分の大きさに形成された小型のものであっても、人感センサの上下方向の幅寸法を大きくして人感センサの上下方向の検知範囲を十分に確保することができ、また、モード切替スイッチを大型化してモード切替スイッチの切替操作をスムーズに行うことができる。
【００７４】
請求項２記載の発明の人感スイッチによれば、モード切替スイッチの切替操作を集光レンズをスライド操作することにより行えるので、人感スイッチが規格化された配線器具１個分の大きさに形成された小型のものであっても、この人感スイッチにおいては人感センサの上下方向の幅寸法を大きくして人感センサの上下方向の検知範囲を十分に確保することができ、また、人感センサを覆う集光レンズも十分な大きさを確保できるのでモード切替スイッチの切替操作をスムーズに行うことができる。
【００７５】
請求項３記載の発明の人感スイッチによれば、人感センサの水平検知幅方向の両側に位置している２つのオルタネイト動作形のモード切替スイッチを操作することにより人感スイッチのモード切替を行うので、人感スイッチが規格化された配線器具１個分の大きさに形成された小型のものであっても、人感センサの上下方向の幅寸法を大きくして人感センサの上下方向の検知範囲を十分に確保することができ、また、モード切替スイッチは指で操作するのに必要な程度の大きさを確保できるのでモード切替スイッチの切替操作をスムーズに行うことができる。
【００７６】
請求項４記載の発明の人感スイッチによれば、モード切替スイッチは取付枠に形成された切欠部から覗く位置に配置されるので、この人感スイッチが取付枠において配線器具２個分の空きスペースを確保できる大きさに形成された小型のものであっても、この人感スイッチにおいては人感センサの上下方向の幅寸法を大きくして人感センサの上下方向の検知範囲を十分に確保することができ、また、モード切替スイッチを人感センサの取付スペースの制約を受けることなく十分な大きさとすることができるのでモード切替スイッチの切替操作をスムーズに行うことができる。
【図面の簡単な説明】
【図１】本発明の第１の実施の形態の人感スイッチを示す斜視図である。
【図２】モード切替スイッチが外方を向く位置へ支持体を回動させた状態を示す人感スイッチの斜視図である。
【図３】人感スイッチの平面図である。
【図４】人感スイッチの取付枠への取付構造を示す分解斜視図である。
【図５】人感スイッチの取付枠への取付状態を示す正面図である。
【図６】本発明の第２の実施の形態の人感スイッチを示す斜視図である。
【図７】モード切替スイッチをオートモードの位置に操作した状態を示す平面図である。
【図８】モード切替スイッチをオンモードの位置に操作した状態を示す平面図である。
【図９】モード切替スイッチをオフモードの位置に操作した状態を示す平面図である。
【図１０】人感スイッチの取付枠への取付状態を示す正面図である。
【図１１】本実施の形態の変形例を示す断面図である。
【図１２】本発明の第３の実施の形態の人感スイッチを示す斜視図である。
【図１３】人感スイッチのモードをオンモードへ切替えた状態を示す斜視図である。
【図１４】人感スイッチの取付枠への取付構造を示す正面図である。
【図１５】本発明の第４の実施の形態の人感スイッチの取付枠への取付状態を示す分解斜視図である。
【図１６】人感スイッチの取付枠への取付状態を示す正面図である。
【符号の説明】
２  筐体、３  支持体、４  人感センサ、６  モード切替スイッチ、７  取付枠、７ａ  取付枠、８  開口、９、１０  取付面、２２  筐体、２３  集光レンズ、２４  モード切替スイッチ、３２  筐体、３３ａ、３３ｂ  モード切替スイッチ、４２  筐体、４３  モード切替スイッチ、４４  切欠部
【図１】
2004185816.tif 000004
【図２】
2004185816.tif 000005
【図３】
2004185816.tif 000006
【図４】
2004185816.tif 000007
【図５】
2004185816.tif 000008
【図６】
2004185816.tif 000009
【図７】
2004185816.tif 000010
【図８】
2004185816.tif 000011
【図９】
2004185816.tif 000012
【図１０】
2004185816.tif 000013
【図１１】
2004185816.tif 000014
【図１２】
2004185816.tif 000015
【図１３】
2004185816.tif 000016
【図１４】
2004185816.tif 000017
【図１５】
2004185816.tif 000018
【図１６】
2004185816.tif 000019